(57)【要約】      （修正有）【課題】暖房機構とミスト機構と打たせ湯機構と熱源機とを備える浴室暖房装置において、打たせ湯設定温よりも熱源機の給湯温度が低い場合であっても、適切な温度で打たせ湯を楽しめるようにする。【解決手段】打たせ湯水路４２に湯の温度を検出する温度検出手段４２ｃを設け、ミスト水路３２の湯を打たせ湯水路４２の温度検出手段４２ｃよりも上流側に供給するバイパス路４４を設け、このバイパス路４４に水量調節弁４４ａを介設し、コントローラは、打たせ湯ノズル４１から湯を吐出する打たせ湯運転時に、温度検出手段４２ｃにより検出された湯温が打たせ湯の設定温度未満である場合には、ミスト機構３の液々熱交換器３３でミスト水路３２を流れる水を加熱させると共に、バイパス路４４に設けられた水量調節弁４４ａを開とし、ミスト水路３２の湯を打たせ湯水路４２に供給する制御を行う。【選択図】図２
2009228987.tif 000002
【特許請求の範囲】
【請求項１】
給湯用熱交換器と暖房用熱交換器とを有する熱源機と、
暖房用放熱器と、浴室の空気を吸引し暖房用放熱器で加熱された空気を浴室に吹出させる循環ファンと、熱源機の暖房用熱交換器で加熱された熱媒体を暖房用放熱器に循環させる主熱媒循環路とを有する暖房機構と、
湯を噴霧するミストノズルと、暖房機構の主熱媒循環路から分岐させた副熱媒循環路に介設された液々熱交換器と、液々熱交換器で加熱された湯をミストノズルへ導くミスト水路とを有するミスト機構と、
打たせ湯ノズルと、熱源機の給湯用熱交換器で加熱された湯を打たせ湯ノズルに供給する打たせ湯水路とを有する打たせ湯機構と、
熱源機と、暖房機構と、ミスト機構と、打たせ湯機構との作動を制御するコントローラとを備える打たせ湯機能付き浴室暖房装置において、
打たせ湯水路に流れる湯の温度を検出する温度検出手段が設けられ、
ミスト水路を流れる湯を打たせ湯水路の温度検出手段よりも上流側に供給するバイパス路が設けられ、このバイパス路に水量調節弁が介設され、
コントローラは、打たせ湯ノズルから湯を吐出する打たせ湯運転時に、温度検出手段により検出された湯温が打たせ湯の設定温度未満である場合には、ミスト機構の液々熱交換器でミスト水路を流れる水を加熱させると共に、バイパス路に設けられた水量調節弁を開とし、ミスト水路の湯を打たせ湯水路に供給する制御を行うことを特徴とする打たせ湯機能付き浴室暖房装置。
【発明の詳細な説明】
【技術分野】
【０００１】
本発明は、浴室の天井部等に取り付けられた暖房機構と、打たせ湯ノズルから湯を吐出する打たせ湯機構とを備える浴室暖房装置に関する。
【背景技術】
【０００２】
従来、給湯用熱交換器と暖房用熱交換器とを有する熱源機と、暖房用放熱器と、浴室の空気を吸引し暖房用放熱器で加熱された空気を浴室に吹出させる循環ファンと、熱源機の暖房用熱交換器で加熱された熱媒体を暖房用放熱器に循環させる主熱媒循環路とを有する暖房機構と、打たせ湯ノズルと、熱源機の給湯用熱交換器で加熱された湯を打たせ湯ノズルに供給する打たせ湯水路とを有する打たせ湯機構と、熱源機と、暖房機構と、打たせ湯機構との作動を制御するコントローラとを備える打たせ湯機能付き浴室暖房装置が知られている（例えば、特許文献１参照）。
【０００３】
又、湯を噴霧するミストノズルと、暖房機構の主熱媒循環路から分岐させた副熱媒循環路に介設された液々熱交換器と、液々熱交換器で加熱された湯をミストノズルへ導くミスト水路とを有するミスト機構を備える浴室暖房装置も知られている（例えば、特許文献２参照）。
【０００４】
そして、浴室暖房装置の多機能化を図るべく、打たせ湯機構、及びミスト機構の両方を浴室暖房装置に設けることが考えられる。
【０００５】
ところで、最近の家庭では、給湯用熱交換器で加熱された湯を出湯する出湯栓が多く設けられるようになっている。そのため、打たせ湯使用中に複数の出湯栓が開かれ、給湯負荷が熱源機の給湯能力を上回ると、打たせ湯の温度が設定温度よりも低くなってしまい、打たせ湯の使用者に不快感を与える虞がある。
【特許文献１】特開２００３−８３５５７号公報
【特許文献２】特開２００８−１４５５０号公報
【発明の開示】
【発明が解決しようとする課題】
【０００６】
本発明は、以上の点に鑑み、打たせ湯の設定温度よりも給湯温度が低い場合でも、適切な温度で打たせ湯を楽しむことができる浴室暖房装置を提供することを目的とする。
【課題を解決するための手段】
【０００７】
上記目的を達成するため、本発明は、給湯用熱交換器と暖房用熱交換器とを有する熱源機と、暖房用放熱器と、浴室の空気を吸引し暖房用放熱器で加熱された空気を浴室に吹出させる循環ファンと、熱源機の暖房用熱交換器で加熱された熱媒体を暖房用放熱器に循環させる主熱媒循環路とを有する暖房機構と、湯を噴霧するミストノズルと、暖房機構の主熱媒循環路から分岐させた副熱媒循環路に介設された液々熱交換器と、液々熱交換器で加熱された湯をミストノズルへ導くミスト水路とを有するミスト機構と、打たせ湯ノズルと、熱源機の給湯用熱交換器で加熱された湯を打たせ湯ノズルに供給する打たせ湯水路とを有する打たせ湯機構と、熱源機と、暖房機構と、ミスト機構と、打たせ湯機構との作動を制御するコントローラとを備える打たせ湯機能付き浴室暖房装置において、打たせ湯水路に流れる湯の温度を検出する温度検出手段が設けられ、ミスト水路を流れる湯を打たせ湯水路の温度検出手段よりも上流側に供給するバイパス路が設けられ、このバイパス路に水量調節弁が介設され、コントローラは、打たせ湯ノズルから湯を吐出する打たせ湯運転時に、温度検出手段により検出された湯温が打たせ湯の設定温度未満である場合には、ミスト機構の液々熱交換器でミスト水路を流れる水を加熱させると共に、バイパス路に設けられた水量調節弁を開とし、ミスト水路の湯を打たせ湯水路に供給する制御を行うことを特徴とする。
【０００８】
本発明によれば、打たせ湯水路に設けられた温度検出手段により検出される湯温が打たせ湯の設定温度未満である場合には、バイパス路を介してミスト水路の湯が打たせ湯水路に供給される。このため、複数の出湯栓が開かれて、給湯負荷が熱源機の給湯能力を上回り、給湯温度が打たせ湯の設定温度に達しない場合であっても、打たせ湯ノズルから流れ出る湯の温度を打たせ湯の設定温度に維持させることができ、使用者は適切な温度の湯で打たせ湯を楽しむことができる。
【発明を実施するための最良の形態】
【０００９】
本発明の打たせ湯機能付き浴室暖房装置の実施形態を図１〜図３を参照して説明する。図１及び図２に示す符号１は、打たせ湯機能付き浴室暖房装置であり、図２に示すように、暖房機構２、スプラッシュミスト機構３、打たせ湯機構４、熱源機５を備える。熱源機５は、給湯用バーナ５１ａで加熱される給湯用熱交換器５１と、暖房用バーナ５２ａで加熱される暖房用熱交換器５２とを備える。
【００１０】
暖房機構２は、図１に示すように、浴室ＢＲの天井部ＢＲ１に配置され、下面に吸込み口２１ａ及び吹出し口２１ｂを有し吸込み口２１ａから吹出し口２１ｂに至る通風路を画成する通風ケース２１と、通風ケース２１内に配置され浴室ＢＲ内の空気を通風ケース２１内の通風路を介して循環させる循環ファン２２と、通風ケース２１内に配置され空気を加熱する暖房用放熱器２３とを備える。循環ファン２２により吸込み口２１ａから通風ケース２１内に吸い込まれた浴室ＢＲの空気は、暖房用放熱器２３で加熱され、温風となって吹出し口２１ｂから浴室ＢＲに吹出される。
【００１１】
暖房用放熱器２３には、図２に示すように、熱源機５の暖房用熱交換器５２に連なる主熱媒循環路２４が接続されている。主熱媒循環路２４には、暖房用熱媒弁２４ａ、シスターン２４ｂ、循環ポンプ２４ｃが介設されており、暖房用熱媒弁２４ａの開弁及び循環ポンプ２４ｃの作動で熱媒体（水、不凍液等）が循環する。熱媒体は熱源機５の暖房用熱交換器５２で加熱されて暖房用放熱器２３に供給され、暖房用放熱器２３で放熱された後、熱源機５の暖房用熱交換器５２へ戻り再び加熱される。
【００１２】
スプラッシュミスト機構３は、浴室ＢＲに温水を噴霧するミストノズル３１を備える。ミストノズル３１にはミスト水路３２が連なる。ミスト水路３２には、上流側から順に、フィルタ３２ａ、逆止弁３２ｂ、給水弁３２ｃ、液々熱交換器３３、サーミスタ３２ｄ、ミスト弁３２ｅが介設されている。
【００１３】
液々熱交換器３３には、ミスト水路３２を介して水道水が供給される。液々熱交換器３３には、主熱媒循環路２４から分岐した副熱媒循環路２５が接続されており、この副熱媒循環路２５に流量調節弁２５ａが介設されている。かくして、熱源機５の暖房用熱交換器５２で加熱された熱媒体が流量調節弁２５ａの開弁で液々熱交換器３３に供給され、ミスト水路３２に流れる水が液々熱交換器３３で熱媒体の熱により加熱され、温水となってミストノズル３１に供給される。
【００１４】
打たせ湯機構４は、打たせ湯ノズル４１を備える。打たせ湯ノズル４１は、熱源機５の給湯用熱交換器５１に連なる給湯路５１ｂに打たせ湯水路４２を介して接続されている。打たせ湯水路４２には、上流側から順に、フィルタ４２ａ、打たせ湯水量サーボ４２ｂ、サーミスタ４２ｃ、出湯弁４２ｄが介設されている。又、打たせ湯水路４２には、サーミスタ４２ｃと出湯弁４２ｄとの間の部分から分岐する排水路４３が設けられている。排水路４３には排水弁４３ａが介設されている。
【００１５】
打たせ湯水路４２の打たせ湯水量サーボ４２ｂとサーミスタ４２ｃとの間の部分には、ミスト水路３２のサーミスタ３２ｄとミスト弁３２ｅとの間の部分から分岐したバイパス路４４が接続されている。バイパス路４４には、水量調節弁としてのバイパス水量サーボ４４ａと、ミスト水路３２から打たせ湯水路４２への湯の流れのみを許容し、逆方向の流れを阻止する逆止弁４４ｂとが介設されている。
【００１６】
尚、給湯用熱交換器５１に連なる給湯路５１ｂには、家庭内に配置される図示省略した複数の出湯栓が接続される。
【００１７】
打たせ湯機能付き浴室暖房装置１は、コントローラ６（図１参照）を備え、コントローラ６は、暖房機構２、スプラッシュミスト機構３、打たせ湯機構４の作動を制御する。又、コントローラ６は、図外の浴室リモコンと熱源機５のコントローラ（図示省略）とに通信可能に接続されている。
【００１８】
そして、コントローラ６は、浴室リモコンの暖房スイッチがオンされたとき、暖房用バーナ５２ａを燃焼させ、且つ、循環ポンプ２４ｃを作動させる暖房指令を熱源機５に送ると共に、暖房用熱媒弁２４ａを開弁し、暖房用熱交換器５２で加熱された熱媒体を主熱媒循環路２４を介して暖房用放熱器２３に循環させ、更に、循環ファン２２を作動させて、温風を浴室ＢＲに送風する暖房運転制御を行う。
【００１９】
又、浴室リモコンのミストスイッチがオンされたときは、熱源機５に暖房指令を送ると共に流量調節弁２５ａを開弁し、暖房用熱交換器５２で加熱された熱媒体を主熱媒循環路２４から副熱媒循環路２５を介して液々熱交換器３３に供給し、更に、給水弁３２ｃ、ミスト弁３２ｅを開弁し、液々熱交換器３３で加熱された湯をミストノズル３１から噴霧するミスト運転制御を行う。
【００２０】
又、浴室リモコンの打たせ湯スイッチがオンされたときは、打たせ湯水量サーボ４２ｂと出湯弁４２ｄとを開弁し、給湯用熱交換器５１で加熱された湯を打たせ湯ノズル４１から吐出する打たせ湯運転制御を行う。尚、実施形態の打たせ湯機能付き浴室暖房装置１では、打たせ湯の設定温度は、浴室リモコンで設定された給湯設定温度と同一温度に設定される。
【００２１】
ところで、上記のように構成される打たせ湯機能付き浴室暖房装置１で、打たせ湯運転中に、給湯路５１ｂに接続する複数の出湯栓が開かれると、給湯負荷が熱源機の給湯能力を上回って、打たせ湯の温度が設定温度まで上昇せず、打たせ湯の使用者に不快感を与える虞がある。
【００２２】
そこで、打たせ湯運転時は、図３に示す制御を行う。これを詳述するに、先ず、ＳＴＥＰ１で、ミスト運転中であるか否かをチェックする。ミスト運転中である場合には、そのまま今回の処理を終了する。
【００２３】
ミスト運転中でない場合には、ＳＴＥＰ２に進み、打たせ湯水路４２のサーミスタ４２ｃで検出される湯の温度が打たせ湯設定温未満であるか否かをチェックする。検出温度が設定温未満でない場合には、そのまま今回の処理を終了する。
【００２４】
検出温度が設定温未満である場合には、ＳＴＥＰ３に進み、熱源機５に暖房指令を送ると共に、流量調節弁２５ａを開弁し、暖房用熱交換器５２で加熱された熱媒体を副熱媒循環路２５を介して液々熱交換器３３に供給する。次に、ＳＴＥＰ４で、ミスト水路３２の給水弁３２ｃを開弁し、バイパス路４４のバイパス水量サーボ４４ａを開弁して、ミスト水路３２を流れる湯をバイパス路４４を介して打たせ湯水路４２に供給し混合させる。
【００２５】
そして、ＳＴＥＰ５で、サーミスタ４２ｃで検出される湯温が打たせ湯の設定温度となるようにバイパス水量サーボ４４ａの開度を調節するフィードバック処理を実行する。このフィードバック処理では、給湯用熱交換器５１から供給される湯温が打たせ湯設定温度に上昇してバイパス水量サーボ４４ａが全閉すると、給水弁３２ｃ、流量調節弁２５ａを閉弁し、更に、熱源機５に作動停止指令を送り、循環ポンプ２４ｃを停止させると共に、暖房用バーナ５２ａの燃焼を停止させる。
【００２６】
実施形態の打たせ湯機能付き浴室暖房装置１によれば、打たせ湯水路４２に設けられた温度検出手段としてのサーミスタ４２ｃにより検出される湯温が打たせ湯の設定温度未満である場合においても、バイパス路４４を介してミスト水路３２の湯が打たせ湯水路４２に供給されるため、打たせ湯ノズル４１から吐出する湯の温度を設定温度に維持させることができる。従って、熱源機５の給湯能力不足により給湯温度が打たせ湯の設定温度に達しない場合であっても、使用者は適切な温度の湯で打たせ湯を楽しむことができる。
【００２７】
尚、実施形態のスプラッシュミスト機構３に代えて、ミストノズルから噴霧される湯を蒸発器で蒸発させて浴室ＢＲに吹出させるスチームミスト機構を設けたもの、又は、このスチームミスト機構とスプラッシュミスト機構との両方を設けたものでも、同様に、本発明の打たせ湯機能付き浴室暖房装置を構成することができる。
【図面の簡単な説明】
【００２８】
【図１】本発明の打たせ湯機能付き浴室暖房装置の実施形態を示す説明図。
【図２】実施形態の打たせ湯機能付き浴室暖房装置を示す説明図。
【図３】実施形態のコントローラの処理を示すフローチャート。
【符号の説明】
【００２９】
１…打たせ湯機能付き浴室暖房装置、  ２…暖房機構、  ２２…循環ファン、  ２３…暖房用放熱器、  ２４…主熱媒循環路、  ２５…副熱媒循環路、  ３…スプラッシュミスト機構、  ３１…ミストノズル、  ３２…ミスト水路、  ３３…液々熱交換器、  ４…打たせ湯機構、  ４１…打たせ湯ノズル、  ４２…打たせ湯水路、  ４２ｃ…サーミスタ（温度検出手段）、  ４４…バイパス路、  ４４ａ…バイパス水量サーボ（水量調節弁）、  ５…熱源機、  ５１…給湯用熱交換器、  ５２…暖房用熱交換器、  ６…コントローラ、  ＢＲ…浴室。
【図１】
2009228987.tif 000003
【図２】
2009228987.tif 000004
【図３】
2009228987.tif 000005